(57)【特許請求の範囲】
【請求項１】
シンクと天板とが設けられたカウンター部のシンクの反対側が床部上を移動する移動手段を備えた可動支柱によって支持されて、前記シンク側を中心に前記カウンター部が回動するキッチンユニットであって、
前記カウンター部のシンク側は床部に固定される固定部とその固定部上で回転する自転部とを備えた自転支持部によって支持され、その自転支持部の内部には上端が前記シンクに伴って回動する排水管が挿通され、前記排水管はカウンター部が回動しても流路断面が変形することのない硬質管材によって形成されるとともに下端が回動自在に排水部に接続され、
前記排水部の開口部は、前記排水管の下端の回動領域より大きく形成されるとともに、前記開口部を塞ぐ回転盤に前記排水管の下端が接続されていることを特徴とするキッチンユニット。
【請求項２】
シンクと天板とが設けられたカウンター部のシンクの反対側が床部上を移動する移動手段を備えた可動支柱によって支持されて、前記シンク側を中心に前記カウンター部が回動するキッチンユニットであって、
前記カウンター部のシンク側は床部に固定される固定部とその固定部上で回転する自転部とを備えた自転支持部によって支持され、その自転支持部の内部には上端が前記シンクに伴って回動する排水管が挿通され、前記排水管はカウンター部が回動しても流路断面が変形することのない硬質管材によって形成されるとともに下端が回動自在に排水部に接続され、
前記カウンター部には加熱機器とその近傍にレンジフードとが設けられており、そのレンジフードの吸気口に接続される排気ダクトは、前記カウンター部に沿って延設されて前記自転支持部の内部に導かれ、前記自転支持部を通って床部下方に突出する位置に排気口が設けられていることを特徴とするキッチンユニット。
【請求項３】
前記可動支柱には、その支柱を中心に回動するアームが取り付けられ、そのアームには移動手段を備えたテーブルが接続されていることを特徴とする請求項１又は２に記載のキッチンユニット。
【発明の詳細な説明】
【技術分野】
【０００１】
本発明は、キッチンやダイニングルームのレイアウトの変更を可能にする可動式のキッチンユニットに関するものである。
【背景技術】
【０００２】
従来、シンク、加熱機器、調理台が一体に設けられたキッチンユニットは、キッチンやダイニングルームの壁や床に固定されて備え付けられており、家族構成が変化したり、ホームパーティを開いたりするなどの理由で簡単にレイアウトを変更することができなかった。
【０００３】
そこで、特許文献１には、回転軸を中心に回動可能なシンクキャビネットが開示されており、特許文献２にはキャスター輪を設けて移動可能に構成された可動式キッチン機構が開示されている。
【０００４】
これらの特許文献１，２に開示されている発明では、給水管、排水管、ガス管及び排気管を、移動に対応させるためにフレキシブルな材料で構成している。
【特許文献１】実開平６−３６４３５号公報
【特許文献２】特開平１０−８５０６５号公報
【発明の開示】
【発明が解決しようとする課題】
【０００５】
しかしながら、前記した従来のキッチンユニットのようにフレキシブルな材料で排水管を形成すると、移動に伴って排水管が屈曲され、流れの抵抗が大きくなって汚物が詰まったり、排水不良が発生したりする原因になる。また、フレキシブルなジャバラホースは内側面に凹凸があるため、直管に比べて排水抵抗が大きく汚れが付着し易い傾向にある。
【０００６】
そこで、本発明は、可動式にしても排水性能が低下することのないキッチンユニットを提供することを目的としている。
【課題を解決するための手段】
【０００７】
前記目的を達成するために、本発明は、シンクと天板とが設けられたカウンター部のシンクの反対側が床部上を移動する移動手段を備えた可動支柱によって支持されて、前記シンク側を中心に前記カウンター部が回動するキッチンユニットであって、前記カウンター部のシンク側は床部に固定される固定部とその固定部上で回転する自転部とを備えた自転支持部によって支持され、その自転支持部の内部には上端が前記シンクに伴って回動する排水管が挿通され、前記排水管はカウンター部が回動しても流路断面が変形することのない硬質管材によって形成されるとともに下端が回動自在に排水部に接続されているキッチンユニットであることを特徴とする。
【０００８】
ここで、前記排水部の開口部を、前記排水管の下端の回動領域より大きく形成するとともに、前記開口部を塞ぐ回転盤に前記排水管の下端が接続されるように構成することができる。
【０００９】
また、上記発明において、前記可動支柱に、その支柱を中心に回動するアームを取り付け、そのアームに移動手段を備えたテーブルを接続することができる。
【００１０】
さらに、上記発明において、前記カウンター部には加熱機器とその近傍にレンジフードとを設け、そのレンジフードの吸気口に接続される排気ダクトを、前記カウンター部に沿って延設されて前記自転支持部の内部に導かれ、前記自転支持部を通って床部下方に突出する位置に排気口を設けた構成とすることができる。
【発明の効果】
【００１１】
このように構成された本発明は、キッチンユニットのカウンター部が自転支持部を中心に回動し、そのカウンター部に設けられたシンクの排水管は、回動によって流路断面が変形することのない硬質管材によって形成されるとともに、前記排水管の下端が回動自在に排水部に接続されている。
【００１２】
このため、カウンター部の回動によって排水管が曲がったり捩れたりすることがなく、流路断面が変形しないので排水性能が低下することがない。
【００１３】
また、ジャバラホースのような内側面に凹凸のある管材を使用しなくとも前記カウンター部を回動させることができるので、可動式にしても排水性能が低下することがない。
【００１４】
特に、前記排水管を接続する排水部の開口部を、前記排水管の下端の回動領域より大きく形成し、前記開口部を塞ぐ回転盤に前記排水管の下端を接続させる構成とすることで、前記排水部からの臭気を漏れ難くすることができる。
【００１５】
さらに、可動支柱に取り付けたアームに可動式のテーブルを接続することで、テーブルを含めたキッチンやダイニングルームのレイアウトの変更を、統一感を維持したままで容易におこなうことができる。また、テーブルを調理補助台として使用することもでき利便性に優れている。
【００１６】
また、加熱機器近傍から発生する排気を吸引させるレンジフードをカウンター部に設けることで、加熱機器が室内のいずれの位置に移動しても効率的に排気をおこなうことができる。
【００１７】
また、排気ダクトをカウンター部に沿って設けることで、カウンター部の上方空間を開放的にすることができる。
【発明を実施するための最良の形態】
【００１８】
以下、本発明の最良の実施の形態について図面を参照して説明する。
【００１９】
図１〜図４は、本実施の形態のキッチンユニット１の構成を説明する図であって、図１は正面図、図２は平面図、図３はシンク側の側面図、図４は加熱機器側の側面図を示したものである。
【００２０】
まず、構成から説明すると、このような本実施の形態のキッチンユニット１は、シンク３と加熱機器としての電磁調理ヒータ４と天板５とが設けられたカウンター部２のシンク３側が自転支持部８によって支持されるとともに、その反対側が床部１５上を移動する移動手段としてのキャスター７ａを備えた可動支柱７によって支持されて自転支持部８を中心にカウンター部２が回動するように構成されている。
【００２１】
このカウンター部２は、本体部２ａにシンク３と電磁調理ヒータ４と天板５の上面がほぼ面一になるように取り付けられており、図２に示すように平面視略長円状に形成されている。
【００２２】
なお、本実施の形態では両側が半円形に仕上げられたカウンター部２を示したが、これに限定されるものではなく、平面視が矩形であっても、その角を落としたような形状であっても意匠的な形状は自由に選択できる。
【００２３】
そして、カウンター部２のシンク３側の下方には自転支持部８が設けられ、この自転支持部８が自転することによってカウンター部２が回動する。
【００２４】
この自転支持部８は、床部１５に固定される円筒形状の固定部８ｂと、その固定部８ｂに回転自在に支持される円筒形状の自転部８ａとから主に構成される。
【００２５】
この自転部８ａの上端はカウンター部２に固定されており、カウンター部２に長手直交方向の力を加えると、自転部８ａを中心にカウンター部２が回動することになる。
【００２６】
また、この自転支持部８は中空に形成されており、その内部に後述する給水管９、排水管１０、排気ダクトを通してカウンター部２と床部１５下方の連絡通路とする。
【００２７】
さらに、自転部８ａの側面にはメンテナンス口８ｄを開口し、扉部８ｃを取り付けておけば、給水管９などの配管に問題が生じた場合にも容易に点検・修理を行うことができる。
【００２８】
この自転支持部８の上方のカウンター部２に設けるシンク３は、ステンレス板などで箱型に形成されており、その底面には排水口３ａが設けられ、シンク３の近傍には給水管９に接続される混合水栓９ｄが設けられている（図２，３参照）。
【００２９】
この排水口３ａの下方には、図３に示すように截頭円錐状の容器と屈曲管によって構成される排水トラップ１０ｂを取付け、その排水トラップ１０ｂには直線状の排水管１０の上端を接続する。
【００３０】
この排水管１０は、カウンター部２を回動させた際に捩れや曲げの力が作用しても流路断面が変形することがない硬質管材によって形成された直管で、例えば耐熱塩化ビニル管、鋳鉄管、ステンレス管、硬質塩化ビニル管、硬質塩化ビニルライニング鋼管、炭素鋼管などが使用できる。
【００３１】
この排水管１０の下端１０ａは、図５に示すように円形板状の回転盤１１に接続され、この回転盤１１は排水部としての排水用漏斗１２の開口部に回転自在に取付けられる。
【００３２】
この排水用漏斗１２の上方を向いた開口部は、排水管１０の下端１０ａの回動領域より大きく形成されており、その開口部を塞ぐ蓋として回転盤１１が載置される。この回転盤１１は、排水管１０の動きに伴って回転するので、排水管１０に捩れや曲げなどの過大な応力が発生することがない。
【００３３】
また、排水用漏斗１２は、床部１５下方の基礎部１６に設けられた固定台１２ｂに固定され（図３参照）、その底面はすり鉢状に形成されて下水管１２ａに接続される。
【００３４】
このように床部１５の下方に排水管１０と排水用漏斗１２の接続部を設けることで、仮に接続部から臭気が漏れたとしても室内まで臭気が漂う可能性を低くすることができる。
【００３５】
また、万一、排水用漏斗１２が詰まったとしても床部１５上に排水が溢れ出すことを防ぐことができる。
【００３６】
一方、給水管９には、水用管９ａと湯用管９ｂがあり、それぞれステンレスや樹脂製のフレキシブルホース等の可撓性管材によって構成されている。
【００３７】
そして、その上端は混合水栓９ｄに接続されるとともに、中間部を図３に示すような取付具９ｃ，９ｃを介して自転部８ａの内側面に固定し、その取付具９ｃ，９ｃの下方はカウンター部２の回動時に引っ張られて破損しないように弛ませておく。
【００３８】
また、電磁調理ヒータ４などに接続される電気ケーブル（図示せず）は、可撓性に優れているので、自転支持部８の内部に弛みを持たせて配線しておけば回動の支障になることはない。
【００３９】
さらに、電磁調理ヒータ４は、燃焼排気が出ないので排気設備としてのレンジフード６を小型化することができる。
【００４０】
このレンジフード６は、カウンター部２の電磁調理ヒータ４の近傍に図１〜４に示すように設けられる。
【００４１】
すなわちこのレンジフード６は、電磁調理ヒータ４の背後から立設されてその上方を覆うように形成された側面視略Ｌ字型のフード部６ｇと、そのフード部６ｇの下端の吸気口６ａとから主に構成される。
【００４２】
この吸気口６ａの内部には吸気用ファン（図示せず）が備えられており、電磁調理ヒータ４の近傍で発生した調理時の熱気、煙、蒸気などが吸気口６ａに吸い込まれて排気ダクトに送られる。
【００４３】
この排気ダクトは、図１，２に示すようにカウンター部２に沿って本体部２ａに設けられる水平排気ダクト６ｂと、図１に示すように自転支持部８の内部から立設されて水平排気ダクト６ｂの下面に接続される上側排気ダクト６ｅと、その上側排気ダクト６ｅと下側排気ダクト６ｆとの間に介在させて排気の流れを形成するファン６ｄと、下側排気ダクト６ｆとによって主に構成される。
【００４４】
この下側排気ダクト６ｆの下端は、図１，３に示すように床部１５の下方に突出しており、その側面には排気口６ｃが設けられて床下又は床下排気ダクト（図示せず）に吸気口６ａで吸い込まれた気体が排出される。
【００４５】
また、電磁調理ヒータ４の下方の可動支柱７は、キャスター７ａ，・・・と、それらを取り付ける円形板状の支持板７ｂと、その支持板７ｂ上に立設されてカウンター部２の下面に接続される支柱７ｃとによって主に構成される。
【００４６】
そして、この支柱７ｃには、そこを中心に回動する板状のアーム１３が取り付けられ、このアーム１３の先端にテーブル１４が接続される。
【００４７】
このテーブル１４は、円形板状のテーブル部１４ｄと、そのテーブル部１４ｄを支持する円柱状の支柱１４ｂと、その支柱１４ｂの下端に取り付けられる円形板状の支持板１４ｃと、移動手段としてのキャスター１４ａ，・・・とによって主に構成され、支柱１４ｂに回動自在にアーム１３の先端が接続される。
【００４８】
次に、本実施の形態のキッチンユニット１の作用について説明する。
【００４９】
このように構成された本発明は、キッチンユニット１のカウンター部２が自転支持部８を中心に回動し、そのカウンター部２に設けられたシンク３の排水管１０は、回動によって流路断面が変形することのない硬質管材によって形成されるとともに、排水管１０の下端１０ａが回動自在に排水用漏斗１２に接続されている。
【００５０】
このため、カウンター部２の回動によって排水管１０が曲がったり捩れたりすることがなく、流路断面が変形しないので排水性能が低下することもない。
【００５１】
また、内側面が滑面の硬質管材を排水管１０に使用すれば、ジャバラホースのような内側面の凹凸が抵抗になったり、汚れが付着したりして排水性能が低下することがない。
【００５２】
特に、排水管１０を接続する排水用漏斗１２の開口部を、排水管１０の下端１０ａの回動領域より大きく形成し、その開口部を塞ぐ回転盤１１に排水管１０の下端１０ａを接続させる構成とすることで、排水用漏斗１２に蓋がされたことになって臭気が漏れ難くなる。
【００５３】
さらに、可動支柱７に取り付けたアーム１３に可動式のテーブル１４を接続することで、図２に示すようにテーブル１４を含めたキッチンやダイニングルームのレイアウトの変更を容易におこなうことができる。
【００５４】
また、テーブル１４とカウンター部２が一組の家具としてデザインされていれば、統一感を維持したままレイアウトを変更することができる。
【００５５】
さらに、このようなテーブル１４が電磁調理ヒータ４などに近接して配置されれば、ダイニングテーブルとしてだけではなく調理補助台として使用することもでき利便性が向上する。
【００５６】
また、電磁調理ヒータ４近傍から発生する排気を吸引させるレンジフード６をカウンター部２に設けることで、電磁調理ヒータ４が室内のいずれの位置に移動しても効率的に排気をおこなうことができる。
【００５７】
さらに、水平排気ダクト６ｂをカウンター部２に沿って内部に設けることで、カウンター部２の上方空間を開放的にすることができる。
【００５８】
以上、図面を参照して、本発明の最良の実施の形態を詳述してきたが、具体的な構成は、この実施の形態に限らず、本発明の要旨を逸脱しない程度の設計的変更は、本発明に含まれる。
【００５９】
例えば、前記実施の形態では、加熱機器として電磁調理ヒータ４を使用したが、これに限定されるものではなく、可撓性のガスホースなどを接続することによってガス調理器を使用することもできる。
【００６０】
また、前記実施の形態では、カウンター部２とは別に自転支持部８の自転部８ａを設けたが、これに限定されるものではなく、カウンター部２の下面を円筒形状に成形して自転支持部の自転部とすることもできる。
【００６１】
さらに、前記実施の形態では、排水用漏斗１２を床部１５の下方に設けたが、これに限定されるものではなく、自転支持部８の内部に設けることもできる。この場合は、排水用漏斗１２が詰まるなどして修理が必要になったとしてもメンテナンス口８ｄから容易に修理することができる。
【００６２】
また、前記実施の形態では、回転盤１１を介して排水用漏斗１２に排水管１０を接続したが、これに限定されるものではなく、排水用漏斗１２と排水管１０の間を回動自在となるように余裕を持たせたシートなどで巾着状に包んで接続することもできる。
【００６３】
さらに、前記実施の形態では排水管１０に直管を使用したが、これに限定されるものではなく、直管の端部や途中に屈曲管を組み合わせることもできる。
【００６４】
また、前記実施の形態ではカウンター部２を長円状に形成したが、これに限定されるものではなく、例えば平面視略Ｌ字型にカウンター部を形成して、角部と端部の両方に可動支柱７，７を設ける構成とすることもできる。
【図面の簡単な説明】
【００６５】
【図１】本発明の最良の実施の形態のキッチンユニットの構成を示した正面図である。
【図２】本発明の最良の実施の形態のキッチンユニットの構成を示した平面図である。
【図３】本発明の最良の実施の形態のキッチンユニットの構成を示したシンク側の側面図である。
【図４】本発明の最良の実施の形態のキッチンユニットの構成を示した電磁調理ヒータ側の側面図である。
【図５】排水用漏斗上での排水管と回転盤の動きを説明する斜視図である。
【符号の説明】
【００６６】
１            キッチンユニット
２            カウンター部
３            シンク
４            電磁調理ヒータ（加熱機器）
５            天板
６            レンジフード
６ａ          吸気口
６ｂ          水平排気ダクト（排気ダクト）
６ｃ          排気口
６ｅ          上側排気ダクト（排気ダクト）
６ｆ          下側排気ダクト（排気ダクト）
７            可動支柱
７ａ          キャスター（移動手段）
７ｃ          支柱
８            自転支持部
８ａ          自転部
８ｂ          固定部
９            給水管
１０          排水管
１０ａ        下端
１１          回転盤
１２          排水用漏斗（排水部）
１３          アーム
１４          テーブル
１４ａ        キャスター（移動手段）
１５          床部
【図１】
0004723953.tif 000002
【図２】
0004723953.tif 000003
【図３】
0004723953.tif 000004
【図４】
0004723953.tif 000005
【図５】
0004723953.tif 000006